(57)【特許請求の範囲】
【請求項１】
複数の周波数を用いて通信端末装置と通信を行う基地局装置を有する無線通信システムにおける無線通信方法であって、
前記通信端末装置は、第１の基地局装置と接続しており、
前記通信端末装置は、ハンドオーバ先の候補となる第２の基地局装置が使用する複数の周波数の無線状態を測定し、測定結果を前記第１の基地局装置に送信し、
前記第１の基地局装置は、前記通信端末装置に帰属する情報に基づいて、前記ハンドオーバを行う際の周波数に関する第１の優先順位表を作成し、
前記第１の基地局装置は、前記測定結果に基づいて、前記第２の基地局装置が使用する複数の周波数に関する第２の優先順位表を作成し、
前記第１の基地局装置は、前記第１の優先順位表と前記第２の優先順位表を用いて、前記ハンドオーバを行う際の周波数と前記第２の基地局装置の識別子と優先順位とを対応づけた第３の優先順位表を作成し、
前記第１の基地局装置は、前記第３の優先順位表に基づいて、前記ハンドオーバ先となる第２の基地局装置と周波数を決定し、
前記通信端末装置に帰属する情報は、ハンドオーバ元の基地局装置の周波数に関する情報であって、
前記第１の基地局装置は、前記ハンドオーバ元の基地局装置の周波数に関する情報を用いて、前記第１の優先順位表を作成することを特徴とする無線通信方法。
【発明の詳細な説明】
【技術分野】
【０００１】
本発明は、複数の周波数を用いて、あるエリアを複数の基地局装置でカバーする移動体通信システムに関する。
【背景技術】
【０００２】
移動端末を用いたデータ通信では、移動端末である通信端末装置、固定局である基地局装置、複数の基地局装置に接続して移動管理を行う通信制御装置、公衆網などの外部ネットワークで構成される。通信端末装置が移動する場合、通信端末装置は現在接続中の基地局装置から、別の基地局装置へと接続相手を切り替えて、エンド・ツー・エンドのデータ通信は継続させる必要がある。この切り替え動作はハンドオーバと呼ばれ、移動体通信では基本的な動作として定義されている。例えばＬＴＥと呼ばれる移動体通信では、標準化団体である３ＧＰＰがまとめた非特許文献１にハンドオーバに関する動作が記載されている。
【０００３】
ハンドオーバの動作の流れを簡単に説明すると、（Ａ）通信端末装置による周囲の基地局装置が送信する信号の品質測定、（Ｂ）接続中の基地局装置への品質測定結果の通知、（Ｃ）接続中の基地局装置によるハンドオーバ先の基地局装置の選定、（Ｄ）Ｃ−ＰｌａｎｅのＣｏｎｎｅｃｔｉｏｎ切替、（Ｅ）ハンドオーバ元の基地局装置からハンドオーバ先の基地局装置へのデータ転送、（Ｆ）Ｕ−Ｐｌａｎｅのパス確立、（Ｇ）ハンドオーバ元の基地局装置のリソース解放、となる。
【０００４】
パケット通信システムや移動体通信システムにおいては、移動端末を使ったメールの送受信、インターネットへのアクセス、ウェブの閲覧といったデータ通信が盛んに行われている。近年の傾向として、映像配信などのデータ容量の大きな通信への需要が高まり、それに伴ってデータ通信のスループットが高まっている。こうしたデータ容量の増加に対応するため、複数の異なる周波数を使い、それぞれの周波数を使って独立なる通信を行うことにより、スループットを増加させる技術が導入されつつある。
【０００５】
また、異なる周波数をサービスする複数の基地局装置により一つのエリアがカバーされていれば、耐故障性が劇的に向上するメリットが挙げられる。ある周波数Ａでサービスを行う基地局装置＃２−Ａが障害などでサービス断となった場合にも、同一エリアで別周波数Ｂでサービスを行う基地局装置＃２−Ｂがサービスを継続すれば、移動端末は通信を継続することができる。この場合、平時と比較して周波数Ｂを持つ基地局装置＃２−Ｂの処理負荷は上昇するが、通信端末装置、または、エンドユーザから見た場合、同エリアでのサービスは継続して見える。
【０００６】
このように１つのエリアで複数の周波数をサービスする構成の場合、ハンドオーバ時に、ハンドオーバ元の基地局装置と、ハンドオーバ先の基地局装置が、異なる周波数を持つ場合がある。一般的に、ハンドオーバ時の基地局装置の選定においては、上記の例で説明しているように、（Ａ）〜（Ｃ）のプロセスがあり、通信端末装置において測定した周囲の基地局装置の信号受信品質を比較し、受信品質が最も良好と判断できる基地局装置を選択する。しかしながら、ハンドオーバ元の基地局装置の周波数と、ハンドオーバ先の基地局装置の周波数が、同一である場合と、異なる場合では、前者を選択しやすくする。これは、第１に、ハンドオーバによる異周波数での負荷状況の攪拌を回避するためであり、第２に、異周波数間ハンドオーバが、同一周波数間ハンドオーバに比べて処理コストが高いためである。そのため、ハンドオーバによって呼切断となってしまうリスクが高まる。
【先行技術文献】
【非特許文献】
【０００７】
【非特許文献１】３ＧＰＰ, “Ｏｖｅｒａｌｌ ｄｅｓｃｒｉｐｔｉｏｎ； Ｓｔａｇｅ ２（Ｒｅｌｅａｓｅ  １０）,” ＴＳ３６．３００, １０．１．２．１章
【非特許文献２】３ＧＰＰ,“Ｒａｄｉｏ Ｒｅｓｏｕｒｃｅ Ｃｏｎｔｒｏｌ（ＲＲＣ）；Ｐｒｏｔｏｃｏｌ ｓｐｅｃｉｆｉｃａｔｉｏｎ（Ｒｅｌｅａｓｅ  １０）,” ＴＳ３６．３３１,  ５．５．４章
【発明の概要】
【発明が解決しようとする課題】
【０００８】
上述したように、異なる周波数を持つ複数の基地局装置で同一エリアをカバーする無線通信システムが一般的になっている。しかしながら、通信端末装置がどの周波数で無線通信をするかは、呼接続開始時点、または、ハンドオーバ時点での無線環境に依存して決定される。この無線環境は、通信端末装置の移動の仕方や、基地局装置の無線アンテナの設置のされ方によって決定されるため、特定の周波数に通信端末装置が集中し、同一エリアの異なる周波数の基地局装置の間で負荷が偏る可能性もある。
【０００９】
無線キャリア事業者としては、通信端末装置の挙動によってのみ負荷状況が決定するのは望ましくない。非特許文献２では通信端末装置が通知すべき周波数を選択する際に、各周波数の無線品質に対してオフセット値を加算する機能を規定している。このオフセット値は基地局装置から通信端末装置へ報知される情報に含まれる。オフセット値の効果により、特定の周波数へのハンドオーバに対し、ハンドオーバ先の選択において、特定の基地局装置の測定結果にオフセットが掛かり、ハンドオーバのしやすさを操作することができる。しかし、この方式では通信端末装置での無線環境に間接的に影響を与えるだけであり、オフセット値を超えるような無線環境の多大な変動に対しては制御が及ばない。このように、非特許文献２に記載の技術では、ハンドオーバを実施する際に、特定の通信端末装置を特定の周波数を持つ基地局装置にて無線サービスを継続することはできない。これが第１の課題である。
【００１０】
また、通信端末装置上では、さまざまアプリケーションが実行されるが、アプリケーションと無線通信のＱｏＳタイプが関連するケースがある。例えば、ＶｏＩＰアプリケーションであれば、低遅延のＱｏＳタイプのベアラが必要である。周波数ＡをＶｏＩＰアプリケーションに限定することができれば、周波数Ａを持つ基地局装置のバックホール回線に低遅延のＱｏＳタイプだけを通過させることができ、ベストエフォートパケットや帯域保障パケットとの間の不用意な影響を避けることができる。このように、ハンドオーバを実施する際に、特定アプリケーションに対して特定の周波数で無線サービスを継続する手段が現状ない。これが第２の課題である。
【００１１】
さらに、周波数Ａの基地局装置＃１−Ａで無線サービス中の通信端末装置が、複数の基地局装置を横断的にハンドオーバするケースにおいて、途中、周波数Ａのカバレッジがないエリアや、周波数Ａを使用しているがサービス断している基地局装置＃２−Ａのエリアを通過する場合を想定する。当該エリアに通信端末装置が入った場合には、サービスエリアが重複している別周波数（例えば、周波数Ｂ）の基地局装置＃２−Ｂへ周波数間ハンドオーバすることでサービスの継続が可能である。しかし、単純にハンドオーバは同一の周波数の基地局装置を選択する従来方式であれば、このあと、さらに通信端末装置が移動し、周波数Ａと周波数Ｂの双方でサービスが実施されているエリア（基地局装置＃３−Ａと＃３−Ｂ）へ移動した場合、前述したとおり同一周波数ハンドオーバが優先される。そのため、当該通信端末装置は周波数Ｂの基地局装置＃３−Ｂへハンドオーバしてしまう。しかし、ＱｏＳタイプで周波数を選択的に利用させたい場合や基地局装置＃３−Ｂに呼が偏ることを回避するために、ハンドオーバ先としては、周波数Ａに戻るべきである。基地局装置＃３−Ｂへのハンドオーバを回避するために、基地局装置＃３−Ａと基地局装置＃３−Ｂとの間の負荷が均等になるような負荷分散機能が考えられる。しかしながら、基地局装置＃１−Ｂから基地局＃２−Ｂを経て基地局＃３−Ｂへハンドオーバすべき通信端末装置を基地局＃３−Ａへハンドオーバさせてしまう弊害がある。このように、従来は、端末の過去の属性を元にハンドオーバ先の周波数を決める仕組みが用意されていなかった。これが第３の課題である。
【課題を解決するための手段】
【００１２】
本願において開示される発明のうち、代表的なものの概要を簡単に説明すれば、下記の通りである。
【００１３】
複数の周波数を用いて通信端末装置と通信を行う基地局装置を有する無線通信システムにおける無線通信方法であって、前記通信端末装置は、第１の基地局装置と接続しており、前記通信端末装置は、ハンドオーバ先の候補となる第２の基地局装置が使用する複数の周波数の無線状態を測定し、測定結果を前記第１の基地局装置に送信し、前記第１の基地局装置は、前記通信端末装置に帰属する情報に基づいて、前記ハンドオーバを行う際の周波数に関する第１の優先順位表を作成し、前記第１の基地局装置は、前記測定結果に基づいて、前記第２の基地局装置が使用する複数の周波数に関する第２の優先順位表を作成し、前記第１の基地局装置は、前記第１の優先順位表と前記第２の優先順位表を用いて、前記ハンドオーバを行う際の周波数と前記第２の基地局装置の識別子と優先順位とを対応づけた第３の優先順位表を作成し、前記第１の基地局装置は、前記第３の優先順位表に基づいて、前記ハンドオーバ先となる第２の基地局装置と周波数を決定することを特徴とする無線通信方法である。
【発明の効果】
【００１４】
異なる周波数を持つ複数の基地局装置で同一エリアをカバーする無線通信システムにおいて、通信端末装置に帰属する情報を元に、ハンドオーバ先の基地局装置の周波数の優先順位を決定することで、特定の基地局装置を特定の周波数で無線サービスを提供できる。
【００１５】
通信端末装置に帰属する情報としてＢｅａｒｅｒに付与されたＱｏＳ Ｔｙｐｅを用いることで、ＢｅａｒｅｒのＱｏＳタイプが限定される特定アプリケーション（例えば、ＶｏＩＰなど）を用いる通信端末装置を、特定の周波数を持つ基地局装置で優先順位を高くして無線サービスを提供することができる。
【００１６】
通信端末装置に帰属する情報としてある基地局装置にハンドオーバする前の基地局装置の周波数を用いることで、周波数Ａで無線サービス中の通信端末装置が複数の基地局装置を横断的にハンドオーバするケースで、途中、周波数Ａのカバレッジがないエリアやサービス断している基地局装置のエリアを通過した後に、元の周波数Ａに高い優先順位でハンドオーバさせる仕組みを持たせることができる。
【図面の簡単な説明】
【００１７】
【図１】通信システムの構成例である。
【図２】通信端末装置の機能構成例である。
【図３】基地局装置の機能構成例である。
【図４】基地局装置のソフトウェア構成例である。
【図５】基地局装置が管理するデータベースの例である。
【図６】基地局装置が管理するデータベースの例である。
【図７】基地局装置が受信するメッセージの例である。
【図８】基地局装置が受信するメッセージの例である。
【図９】基地局装置で一時的に作成されるデータの構成例である。
【図１０】基地局装置の動作フローの例である。
【図１１】基地局装置の動作フローの例の詳細である。
【図１２】基地局装置の動作フローの例の詳細である。
【発明を実施するための形態】
【実施例１】
【００１８】
（システム全体の構成）
本発明を適用した無線通信システムの第１の実施例について、図面を用いて、以下詳細に説明する。
【００１９】
なお、以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明などの関係にある。
【００２０】
また、以下の実施の形態において、要素の数等（個数、数値、量、範囲等を含む）に言及する場合、特に明示した場合及び原理的に明らかに特定の数に限定される場合などを除き、その特定の数に限定されるものではなく、特定の数以上でも以下でも良いものとする。
【００２１】
さらに、以下の実施の形態において、その構成要素（要素ステップなどを含む）は、特に明示した場合及び原理的に明らかに必須であると考えられる場合などを除き、必ずしも必須のものではないことは言うまでもない。
【００２２】
図１は、本実施例の通信端末装置（無線通信端末）と基地局装置を用いた通信システムの構成例を示す網の構成図である。
【００２３】
加入者が所有する端末である通信端末装置１００は、無線リンクによって基地局装置２００と通信を行う。図１には６台の基地局装置を記載している。本構成例では、周波数Ａを持つ基地局装置が３台（２００−１、２００−２、２００−３）で３エリアをカバーしており、周波数Ｂを持つ基地局装置が３台（２００−４、２００−５、２００−６）、同一の３エリアを重複するようにカバーしている。基地局装置２００−１と基地局装置２００−４が同一エリアをカバーし、基地局装置２００−２と基地局装置２００−５が同一エリアをカバーし、基地局装置２００−３と基地局装置２００−６が同一エリアをカバーする例を示している。なお、基地局装置２００−１と基地局装置２００−４は物理的に異なる基地局装置であってもいいし、基地局装置２００−１と基地局装置２００−４が同一の基地局装置であって、複数の周波数Ａ、Ｂを使用してもよい。他の基地局装置２００−２〜２００−６についても同様である。複数の基地局装置２００が、通信制御装置３００に、Ｒｏｕｔｅｒ４００を介してつながり、その制御を受けている。通信制御装置３００では、端末１００がどの基地局装置２００とつながっているかを制御するモビリティ機能が具備されている。また、基地局装置２００同士もＲｏｕｔｅｒ４００を介してつながり、相互に通信ができる。
【００２４】
以降の説明では、図１で示した通信システムを例にとり説明する。
【００２５】
図２は、通信端末装置１００の構成例を示すブロック図である。図２は、通信端末装置１００のハードウェア構成を示したブロック図である。具体的には、無線信号を送受信するアンテナ１１０、無線信号を電気信号に変換するＲＦ部１２０、電気信号に所定の通信処理（信号終端、プロトコル変換、障害監視他）を行う通信処理部１３０、端末の所有者が送受信する信号の入出力を行う周辺装置部１４０、通信端末装置１００全体の制御を行う制御部１５０とで構成される。周辺装置部１４０には、音声を入力するマイク１４１、音声を出力するスピーカ１４２、文字や画像を表示するディスプレイ１４３、データ入力や制御信号入力（接続先の指定等）を行うキー１４４が備えられる。また、制御部１５０は、通信端末装置１００全体の動作を制御するプロセッサであるＣＰＵ１６０、動作プログラムや動作に必要な各種データを蓄積するメモリであるＭＭ１７０、外部機器との信号を送受信するＩ／Ｏ１８０とが備えられる。制御線１９０は、上述した各ブロック同士を接続するものである。通信端末装置１００は、ハンドオーバ先の候補となる周囲の基地局装置の複数の周波数の無線状態を観測し、観測結果を接続中の基地局装置に送信する。具体的には、周囲の基地局装置が送信する信号の品質（例えば受信強度）を測定し、その測定結果を接続中の基地局装置に送信する。基地局装置に送信される測定結果の構成例に関しては、図７を用いて後述する。
【００２６】
図３は、基地局装置２００のハードウェア構成を示したブロック図である。具体的には、無線信号を送受信するアンテナ２１０、無線信号を電気信号に変換するＲＦ部２２０、電気信号に所定の通信処理（信号終端、プロトコル変換、障害監視他）を行う通信処理部２３０、通信制御装置３００と信号を送受信するインタフェース２４０、基地局装置２００全体の制御を行う制御部２５０とで構成される。制御部２５０は、基地局装置２００全体の動作を制御するプロセッサであるＣＰＵ２６０、動作プログラムや動作に必要な各種データを蓄積するメモリであるＭＭ２７０、外部機器との信号を送受信するＩ／Ｏ２８０とが備えられる。また、制御線２９０は、上述した各ブロック同士を接続するものである。
【００２７】
図４は、基地局装置２００のソフトウェア構成例を示すソフトウェア構成図である。制御部２５０は、基地局装置２００や通信制御装置３００と通信し、ハンドオーバにかかわるメッセージを送受するハンドオーバ指示送受部２５０１、通信端末装置に帰属する情報を収集、蓄積する端末情報蓄積部２５０２、通信端末装置１００と無線通信を行って測定結果通知を受信する測定結果通知受信部２５０３、測定結果通知受信部２５０３から測定結果通知を受け取り、また、端末情報蓄積部２５０２から通信端末装置に帰属する情報を受け取り、ハンドオーバ先の周波数候補を解析する周波数候補解析部２５０４、周波数候補解析部２５０４から情報を受け取り、ハンドオーバ先の基地局装置を決定するハンドオーバ先決定部２５０５から構成される。
（データベースの構成）
図５は、基地局装置２００で管理されるデータベース６００の構成例を示す。データベース６００は、端末情報蓄積データベース６１０とＱｏＳタイプデータベース６２０から構成され、基地局装置２００ごとに保持される
端末情報蓄積データベース６１０は端末情報蓄積部２５０２で蓄積される。端末情報蓄積データベース６１０には、複数の通信端末装置の情報が、通信端末装置ごとに保存される（６１０１、６１０２、６１０３）。ある通信端末装置の情報６１０１は、通信端末装置を識別する通信端末装置ＩＤ６１０１１、当該通信端末装置に帰属する情報を格納する通信端末装置帰属情報６１０１２から構成される。
【００２８】
ＱｏＳタイプデータベース６２０は、通信オペレータ事業者によって設定され、端末情報蓄積部２５０２で蓄積される。ＱｏＳタイプデータベース６２０は、ＱｏＳタイプ毎に対応する周波数を登録する（６２０１、６２０２、６２０３）。一つのＱｏＳタイプ６２０１１について、一つの優先度６２０１２と複数の周波数（６２０１３、６２０１４）を登録できる。
【００２９】
図６は、通信端末装置帰属情報６１０１２を詳細化した例である。通信端末装置帰属情報６１０１２は、複数ベアラの情報から構成される（６１０１２１、６１０１２２、６１０１２３）。あるベアラの情報６１０１２１は、ベアラＩＤ６１０１２１１、ＱｏＳタイプ６１０１２１２から構成される。
（通信メッセージの構成）
図７は、通信端末装置１００から基地局装置２００へ送信される測定結果通知７００の構成例を示す。測定結果通知７００には、通信端末装置１００にて無線信号を受信可能な基地局装置の情報を複数搭載できる（７００１、７００２）。ある基地局装置の情報７００１には、基地局装置を特定できる基地局装置ＩＤ７００１０、周波数７００１１、通信品質７００１２が含まれる。なお、測定結果通知７００には、図７に記載以外の情報が搭載されていてもよい。
【００３０】
図８は、ハンドオーバ元の基地局装置２００または通信制御装置３００から、ハンドオーバ先の基地局装置２００へ送信されるハンドオーバ要求通知８００の構成例を示す。ハンドオーバ要求通知８００には、ハンドオーバ対象となる通信端末装置を識別する通信端末装置ＩＤ８００１、当該通信端末装置に帰属する情報を格納する通信端末装置帰属情報８００２が含まれる。通信端末装置帰属情報８００２としては、例えば、ハンドオーバ元の基地局装置２００の周波数８００２１でもよい。なお、ハンドオーバ要求通知８００には図８に記載以外の情報が搭載されてもよい。
（周波数別の優先順位表）
図９は、基地局装置２００が後述する処理ステップの過程で保持する一時データの例である。優先順位表９００は、優先順位表（Ａ）９１０、優先順位表（Ｂ）９２０、優先順位表（Ｃ）９３０から構成される。優先順位表（Ａ）９１０は、周波数と優先順位番号の組合せから構成される（９１０１、９１０２、９１０３）。優先順位表（Ａ）９１０は端末情報蓄積データベース６１０の内容を元に、通信端末装置毎に作成される。優先順位表（Ｂ）９２０は、周波数９２０１１、信号受信品質９２０１２、基地局装置ＩＤ９２０１３の組で構成される。各組の間の優先順位は受信信号品質９２０１２を元にソートして決定される。優先順位表（Ｃ）９３０は、優先順位表（Ａ）９１０および優先順位表（Ｂ）９２０から作成される。優先順位表（Ａ）９１０の周波数を第１の優先順位としてソートする。この例では、優先順位表（Ａ）９１０の周波数のうち、最も優先順位が高い周波数である周波数Ａ（９３０１１）の優先順位を最も高くする。そして、各周波数の中で複数の基地局装置ＩＤがある場合（例えば９３０１２）は、信号受信品質（９２０１２２）を第２の優先順位としてソートして作成される。例えば図９では、周波数Ａを使用する基地局装置ＩＤ（９２０１２３）が３つ存在し、通信端末装置で測定した信号受信品質がよいほど優先順位が高くなるように構成された例を示している。また、ある周波数（例えば、周波数Ｃ９３０３１）で基地局装置がない場合もある（例えば、９３０３２）。
【００３１】
次に、本発明を適用した通信システムにおける通信端末装置に帰属する情報を用いてハンドオーバ先を決定する第１の無線通信方式の実施例について説明する。
【００３２】
（１）図１０は、基地局装置２００で実施される処理例である。基地局装置２００は、端末情報蓄積部２５０２にて、通信端末装置に帰属する情報を収集し、端末情報蓄積データベース６１０に蓄積する（Ｐ−１００）。通信端末装置に帰属する情報は、通信端末装置１００が基地局装置２００に初期接続する際に、通信端末装置１００から入手してもよいし、通信制御装置３００や他の上位装置から配信を受けてもよい。
【００３３】
（２）基地局装置２００は、周波数候補解析部２５０４にて、端末情報蓄積データベース６１０から通信端末装置に帰属する情報を受け取り、通信端末装置に対して無線サービスを行う際の周波数候補の優先順位表（Ａ）９１０を作成する（Ｐ−１１０）。このステップは、基地局装置２００に接続している全ての通信端末装置について実施し、通信端末装置毎の優先順位表（Ａ）９１０を作成する。
【００３４】
（３）基地局装置２００は、測定結果通知受信部２５０３にて、通信端末装置が測定した各基地局装置との信号受信品質を測定結果通知７００として受信する（Ｐ−１２０）。
【００３５】
（４）基地局装置２００は、周波数候補解析部２５０４にて、測定結果通知７００を測定結果通知受信部２５０３から受け取り、周波数候補の優先順位表（Ｂ）９２０を決定する（Ｐ−１３０）。具体的には、測定結果通知７００の各基地局装置について、信号受信品質を比較し、受信品質がよい基地局装置順にソートする。
【００３６】
（５）基地局装置２００は、ハンドオーバ先決定部２５０５にて、Ｐ−１１０で算出した優先順位表（Ａ）９１０と、Ｐ−１３０で算出した優先順位表（Ｂ）９２０を周波数候補解析部２５０４から受信し、優先順位表（Ｃ）９３０を決定する（Ｐ−１４０）。
【００３７】
ステップＰ−１４０に関して、図１１を用いて、具体的に説明する。Ｐ−１３０で受信した測定結果通知７００の対象通信端末装置について、対応する優先順位表（Ａ）９１０を特定する（Ｐ−１４０１）。次に、周波数を第１のキーとして優先順位表（Ｂ）を高優先度順にソートする。この際の周波数の優先度付けは優先順位表（Ａ）９１０上の当該周波数に対応する優先順位番号に従う（Ｐ−１４０２）。なお、優先順位表（Ａ）９１０にない周波数が、優先順位表（Ｂ）９２０にある場合、当該の周波数は最低優先度として扱う。最後に、同一周波数内に複数の基地局装置が存在する周波数について、信号受信品質９２０１２を第２のキーとして高優先度順にソートする（Ｐ−１４０３）。
【００３８】
（６）基地局装置２００は、Ｐ−１４０で算出した優先順位表（Ｃ）９３０の中で、最も優先順位の高い基地局装置２００をハンドオーバ先として決定し、ハンドオーバを実施する（Ｐ−１５０）。
【００３９】
このように、通信端末装置に帰属する情報を元に、ハンドオーバ先の基地局装置の周波数の優先順位を決定することにより、基地局装置が特定の周波数を用いて、通信端末装置に無線サービスを継続して提供することができる。
【実施例２】
【００４０】
次に、本発明を適用した通信システムにおける通信端末装置に帰属する情報を用いてハンドオーバ先を決定する無線通信方式の第２の実施例について、図１２を用いて説明する。
【００４１】
本実施例では、通信端末装置に帰属する情報として、ベアラ情報を用いる。ベアラ情報は、通信端末装置１００と基地局装置２００との間でベアラを確保した際に、基地局装置２００が生成または更新することができる。
【００４２】
（１’）端末情報蓄積データベース６１０に保存する、通信端末装置に帰属する情報として、当該通信端末装置１００と基地局装置２００との間に設定しているベアラ情報を採用する（６１０１２１、６１０１２２、６１０１２３）。ベアラ情報６１０１２１は、ベアラを識別するベアラＩＤ６１０１２１１と、当該ベアラに対して提供すべきサービスの品質を示すＱｏＳタイプ６１０１２１２から構成される。
【００４３】
（２’）基地局装置２００は、予め通信オペレータ事業者によりインタフェース２４０を経由して設定されたＱｏＳタイプデータベース６２０の内容、および、端末情報蓄積データベース６１０を元にして、端末情報蓄積データベース６１０に登録された各通信端末装置に帰属する情報に対して、それぞれ優先順位表（Ａ）９１０を作成する。具体的には、通信端末装置１００の端末情報蓄積データベース６１０のそれぞれについて、通信端末装置１００が持つ各ベアラのＱｏＳタイプ６１０１２１２を元に、ＱｏＳタイプデータベース６２０を検索する。合致したＱｏＳタイプがあった場合、優先度６２０１２とともに周波数６２０１３、６２０１４・・・を優先順位表（Ａ）９１０に登録する（Ｐ−１１０１）。当該通信端末装置１００の全てのベアラについて、ＱｏＳタイプデータベース６２０からの抽出が完了したら、優先度順位表（Ａ）９１０を、周波数をキーとして高優先度順にソートする。その際の優先順位はＱｏＳタイプデータベース６２０の優先度６２０１２に従う（Ｐ−１１０２）。
【００４４】
以降の処理は、実施例１で説明した（３）から（６）と同じである。
【００４５】
この結果、通信端末装置が採用しているアプリケーションに応じて、しかるべき周波数を持つ基地局装置２００で無線サービスを提供することができる。よって、本方式により第２の課題が解決できる。
【実施例３】
【００４６】
次に、本発明を適用した通信システムにおける通信端末装置に帰属する情報を用いてハンドオーバ先を決定する無線通信方式の第３の実施例について説明する。なお、本実施例では、前提として、図１の基地局装置２００−２がサービス断しており、かつ、基地局装置２００−１に接続していた通信端末装置１００が、基地局装置２００−５に周波数間ハンドオーバした後の、基地局装置２００−５での無線通信方式について説明する。本方式を用いることにより、基地局装置２００−５と同一の周波数を使用する基地局装置２００−６ではなく、基地局装置２００−３へ、通信端末装置をハンドオーバさせることができる。
【００４７】
本実施例では、通信端末装置に帰属する情報として、ハンドオーバ元の基地局装置の周波数に関する情報を用いる。ハンドオーバ元の基地局装置の周波数に関する情報は、ハンドオーバ時にハンドオーバ元の基地局装置２００から通知を受けて、ハンドオーバ先の基地局装置２００が生成することができる。
【００４８】
（１”）基地局装置２００−５の端末情報蓄積データベース６１０に保存すべき通信端末装置に帰属する情報として、一つ前のハンドオーバ動作として、基地局装置２００−１から周波数間ハンドオーバした際の通信結果を採用する。具体的には、基地局装置２００−１が基地局装置２００−５に対して送信したハンドオーバ要求通知８００を使う。
【００４９】
（２”）基地局装置２００−５は、端末情報蓄積データベース６１０を元にして、端末情報蓄積データベース６１０に登録された各通信端末装置の情報に対して、それぞれ優先順位表（Ａ）９１０を作成する。本実施例で作成される優先順位表（Ａ）９１０のエントリは一つのみ（９１０１のみ）となる。つまり、ハンドオーバ元の基地局装置２００−１が使用している周波数のみである。
【００５０】
以降の処理は、実施例１で説明した（３）から（６）と同じである。
【００５１】
この結果、周波数Ａを使用する基地局装置２００−１に接続していた通信端末装置１００が、基地局装置２００−２のサービス断のため、やむなく、周波数Ｂを使用する基地局装置２００−５へハンドオーバした状態において、本方式により、周波数Ａを使用する基地局装置２００−３へハンドオーバする。結果として、通信端末装置が元々無線サービスを受けていた周波数Ａへ戻ることができている。よって、本方式により第３の課題が解決できる。
【００５２】
各実施例では、基地局装置２００がハンドオーバ先となる基地局装置と周波数を決定する例を説明した。しかしながら、基地局装置２００が、通信端末装置に帰属する情報及び通信端末装置が測定した測定結果を通信制御装置３００へ送信し、通信制御装置３００がハンドオーバ先となる基地局装置と周波数を決定してもよい。
【符号の説明】
【００５３】
１００  通信端末装置
２００  基地局装置
３００  通信制御装置
４００  Ｒｏｕｔｅｒ
６００  データベース
７００  測定結果通知
８００  ハンドオーバ要求通知
９００  優先順位表
特許請求の範囲に記載した以外の本発明の観点の代表的なもののとして、次のものがあげられる。
【００５４】
１．複数の周波数をもって無線端末装置と通信する第１の無線基地局装置と、第１の無線基地局装置とは少なくとも一部の周波数が異なる第２の無線基地局装置から構成される無線通信システムにおいて、無線端末装置が第１の無線基地局装置から第２の無線基地局装置にハンドオーバする方法において、通信端末装置は、ハンドオーバ先となる第２の無線基地局装置の複数の周波数の無線状態を観測し、電波の状況を含む測定結果を第１の無線基地局装置に送信し、ハンドオーバ元となる第１の無線基地局は、あらかじめ得た無線端末装置に帰属する情報からハンドオーバを行う際の周波数に関する優先順位のリストを作成し、端末から得た第２の無線基地局装置に関する測定結果のリストの内、ハンドオーバ候補として選択可能な周波数を選択し、選択された周波数の候補の内から、優先順位のリストに従ってハンドオーバを行う周波数を決定することを特徴とするハンドオーバ方法。
【００５５】
２．前記１項に記載のハンドオーバ方法であって、あらかじめ得た無線端末装置に帰属する情報とは、ハンドオーバを行う端末が現在利用しているＱｏＳクラスの最上位のクラスに関わり、選択する周波数の優先順位のリストを作成することを特徴とするハンドオーバ方法。
【００５６】
３．前記１項に記載のハンドオーバ方法であって、あらかじめ得た無線端末装置に帰属する情報とは、無線端末が、過去に別の無線基地局からハンドオーバしてきた場合に、過去に利用してきた周波数に関わり、過去利用してきた周波数を優先順位の上位とすることを特徴とするハンドオーバ方法。
【図１】
0006491899.tif 000002
【図２】
0006491899.tif 000003
【図３】
0006491899.tif 000004
【図４】
0006491899.tif 000005
【図５】
0006491899.tif 000006
【図６】
0006491899.tif 000007
【図７】
0006491899.tif 000008
【図８】
0006491899.tif 000009
【図９】
0006491899.tif 000010
【図１０】
0006491899.tif 000011
【図１１】
0006491899.tif 000012
【図１２】
0006491899.tif 000013